(57)【要約】【課題】  ポリゴンミラーによる騒音や主走査方向のジッターを悪化させずに効果的にフレア光をカットでき、プラスチックレンズなどの簡易な部品で高品質な画像を形成することができる光走査装置及びそれを用いたカラー画像形成装置を得ること。【解決手段】  複数の光源から放射された複数の光束を、複数の偏向面をもつ同一の偏向器の異なる偏向面で偏向させ、光束ごとに設けた各々の走査レンズ系を介して対応する被走査面上に導光させる光走査装置において、  前記偏向面への入射光束の光路と、前記偏向面で反射偏向され、前記被走査面上に入射する走査光束の光路とに挟まれた非有効領域の少なくとも１つに遮光部材を設け、  一方の走査レンズ系のレンズ表面で反射したフレア光が他方の走査レンズ系に入射することを防止していること。【選択図】図１
2008233919.tif 000002
【特許請求の範囲】
【請求項１】
複数の光源から放射された複数の光束を、複数の偏向面をもつ同一の偏向器の異なる偏向面で偏向させ、光束ごとに設けた各々の走査レンズ系を介して対応する被走査面上に導光させる光走査装置において、
前記偏向面への入射光束の光路と、前記偏向面で偏向され前記被走査面上に入射する走査光束の光路とに挟まれた非有効領域の少なくとも１つに遮光部材を設け、
前記遮光部材は、一方の走査レンズ系のレンズ表面で反射したフレア光が他方の走査レンズ系に入射することを防止していることを特徴とする光走査装置。
【請求項２】
前記偏向面への入射光束の光路と、前記偏向面で偏向され前記被走査面上に入射する走査光束の光路とに挟まれた非有効領域のうちの前記遮光部材が配置されていない非有効領域側に、ビーム書き出し位置を検知するための単一の書き出し位置検知手段を有し、前記複数の光源から放射される複数の光束の書き出しタイミングを、前記単一の書き出し検知手段により制御していることを特徴とする請求項１に記載の光走査装置。
【請求項３】
前記書き出し位置検知手段へ向かう光束は、書き出し位置検知用レンズを通過し、前記走査光束とは別光路を辿ることを特徴とする請求項２に記載の光走査装置。
【請求項４】
請求項１乃至３のいずれか一項に記載の光走査装置を複数有し、各々の光走査装置の被走査面に配置され、互いに異なった色の画像を形成する複数の像担持体とを有することを特徴とするカラー画像形成装置。
【請求項５】
外部機器から入力した色信号を異なった色の画像データに変換して各々の光走査装置に入力せしめるプリンタコントローラを有していることを特徴とする請求項４に記載のカラー画像形成装置。
【発明の詳細な説明】
【技術分野】
【０００１】
本発明は光走査装置及びそれを用いたカラー画像形成装置に関し、特に複数の光源から光変調され出射した複数の光束を回転多面鏡等より成る単一の偏向器で反射偏向（偏向走査）させた後、ｆθ特性を有する走査レンズ系を介してそれぞれ対応する被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。
【背景技術】
【０００２】
従来よりレーザービームプリンタ（ＬＢＰ）等の光走査装置においては画像信号に応じて光源手段から光変調され出射した光束を、例えば回転多面鏡（ポリゴンミラー）より成る偏向器により周期的に偏向させ、ｆθ特性を有する走査レンズ系によって感光性の記録媒体（感光ドラム）面上にスポット状に集束させ、その面上を光走査して画像記録を行っている。
【０００３】
図８は従来の光走査装置の要部斜視図である。
【０００４】
同図において光源手段８１から出射した発散光束はコリメーターレンズ８２により略平行光束とされ、絞り８３により光束径が制限された後に副走査方向にのみ所定の屈折力を有するシリンドリカルレンズ８４に入射される。シリンドリカルレンズ８４に入射した略平行光束のうち主走査断面内においてはそのままの状態で射出する。また副走査断面内においては集束してポリゴンミラーから成る偏向器８５の偏向面（反射面）８５ａにほぼ線像として結像している。
【０００５】
そして偏向器８５の偏向面８５ａで反射偏向された光束をｆθ特性を有する走査レンズ系（ｆθレンズ系）８６を介して被走査面としての感光ドラム面上（不図示）に導光し、前記偏向器８５を回転させることによって前記感光ドラム面上を光走査して画像情報の記録を行っている。
【０００６】
図９は従来の光走査装置の主走査方向の要部断面図（主走査断面図）である。
【０００７】
同図においては２つの光源１０１，１０２から放射された２本の光束Ｒｉ１，Ｒｉ２を絞り、コリメーターレンズ、そしてシリンドリカルレンズ９６を介し４つの面（偏向面）を有するポリゴンミラー（偏向器）９３の隣接する面９３ａ，９３ｂで同時に反射偏向し、光束ごとに走査レンズ系ＳＬ１１、ＳＬ１２を介し、別々の感光ドラム面９８，９９上へ結像させている。
【０００８】
また同図において９７は書き出し位置検知用レンズ（ＢＤレンズ）であり、書き出しタイミング用の光束（ＢＤ光束）を集光している。１０３は書き出し位置検知手段（ＢＤセンサー）であり、長手方向の走査開始位置を決定する為の同期信号を得ている。
【０００９】
図１０は従来のカラー画像形成装置の要部概略図であり、図９に示す光走査装置を２組並列にして配置し、２つの偏向器により合計４本の走査線を描画する。
【００１０】
同図においてはポリゴンミラー（偏向器）５３、６３で反射偏向されて第１の走査レンズ５１ａ、５２ａ、６１ａ、６２ａを通過した後の４つの光束を、折り返しミラーＭ１、Ｍ２、Ｍ３、Ｍ４により各々９０°図面上、下に折り曲げ第２の走査レンズ５１ｂ、５２ｂ、６１ｂ、６２ｂを介し、対応する感光ドラム面５４、５５、６４、６５上へ導いている。
【００１１】
このように単一のポリゴンミラーで複数の光束を走査することで、従来１つの光束に１つ必要であったポリゴンミラーを省くことができ、これにより装置全体の簡素化を図っている。
【発明の開示】
【発明が解決しようとする課題】
【００１２】
このようなポリゴンミラーを共用するタイプの光走査装置においては、図９に示すように一方の光走査装置（第１のスキャナーＳＫ１１）で画像を描く際、第１の走査レンズ９１のレンズ表面９１ａで反射されたフレア光Ｒｆが他方の光走査装置（第２のスキャナーＳＫ１２）の走査レンズ系ＳＬ１２を透過し、感光ドラム面９９上へ入射するという問題点が生じていた。
【００１３】
特に図９に示すような２つの光源が走査レンズ系の光軸に対して同じ側に配置された光走査装置の場合、前記走査レンズ系の光軸に対して光源側からのフレア光が光量的に問題となる。
【００１４】
図１１は従来の光走査装置におけるフレアの到達範囲を説明するグラフである。
【００１５】
同図に示すグラフにおいて、横軸は第１のスキャナーＳＫ１１で走査される走査光Ｒｓの正規の結像位置を示し、縦軸はレンズ表面で反射されるフレア光Ｒｆの到達位置を示している。
【００１６】
上記図９に示したように第１のスキャナーＳＫ１１が像高Ｙ＝−４７．２ｍｍ〜−１０９．４ｍｍの間を走査する際にフレア光Ｒｆはポリゴンミラー９３などで反射せずにそのまま第２の走査レンズ系ＳＬ１２に入射する（図１１の領域Ａ）。像高Ｙ＝１０９．４ｍｍ近傍では、走査レンズ系の光軸に対して光源と反対側からのフレア光が発生する（図１１の領域Ｃ）。その中間の領域はレンズ表面で反射されたフレア光はポリゴンミラー９３で再び反射し、画像有効域外へ向かうため問題とならない（図１１の領域Ｂ）。
【００１７】
ここで、レンズ表面に反射防止膜を蒸着することでフレア光を低減することも考えられるが、近年低コスト化のために多用されているプラスチックレンズは反射防止膜を蒸着することが難しく、また反射防止膜はコストが高くついてしまう。そのため、反射防止膜以外の解決手段が望まれている。
【００１８】
通常のフレア光はポリゴンミラーの回転に伴い、その到達位置も変化するものであるが、ここに示したフレア光はポリゴンミラーの回転角度とは無関係に感光ドラム面上で略静止してしまう。
【００１９】
即ち、第１の走査レンズ系ＳＬ１１の第１の走査レンズ９１の第１面９１ａからのフレア光ＲＦは図１１に示すように、レーザービームが画像全域を走査する際、画像中央付近（図１１の縦軸−２０(mm)〜１０(mm)の範囲）に到達し、そこで略静止している。それゆえ、たとえ反射防止膜を蒸着したとしても、極僅かな量の反射光は存在し、そのような反射光が静止し蓄積されれば、画像上視認されるレベルまでの光量となってしまう。
【００２０】
以上説明したのと同様に、第２の走査レンズ系ＳＬ１２の第１の走査レンズ９２からの反射光が第１の走査レンズ系ＳＬ１１に入射するフレア光も存在する。
【００２１】
因みに、一つの感光ドラムを一つのポリゴンミラーで走査するタイプの光走査装置においては、上述したフレア光は走査レンズを保持する筐体の壁に当たるため、被走査面に入射することはない。
【００２２】
本発明はプラスチックレンズなどの簡易な部品で高品質な画像を形成することができる光走査装置及びそれを用いたカラー画像形成装置の提供を目的とする。
【課題を解決するための手段】
【００２３】
請求項１の発明の光走査装置は、複数の光源から放射された複数の光束を、複数の偏向面をもつ同一の偏向器の異なる偏向面で偏向させ、光束ごとに設けた各々の走査レンズ系を介して対応する被走査面上に導光させる光走査装置において、
前記偏向面への入射光束の光路と、前記偏向面で偏向され前記被走査面上に入射する走査光束の光路とに挟まれた非有効領域の少なくとも１つに遮光部材を設け、
前記遮光部材は、一方の走査レンズ系のレンズ表面で反射したフレア光が他方の走査レンズ系に入射することを防止していることを特徴としている。
【００２４】
請求項２の発明は請求項１の発明において、前記偏向面への入射光束の光路と、前記偏向面で偏向され前記被走査面上に入射する走査光束の光路とに挟まれた非有効領域のうちの前記遮光部材が配置されていない非有効領域側に、ビーム書き出し位置を検知するための単一の書き出し位置検知手段を有し、前記複数の光源から放射される複数の光束の書き出しタイミングを、前記単一の書き出し検知手段により制御していることを特徴としている。
【００２５】
請求項３の発明は請求項２の発明において、前記書き出し位置検知手段へ向かう光束は、書き出し位置検知用レンズを通過し、前記走査光束とは別光路を辿ることを特徴としている。
【００２６】
請求項４のカラー画像形成装置は、請求項１乃至３のいずれか一項に記載の光走査装置を複数有し、各々の光走査装置の被走査面に配置され、互いに異なった色の画像を形成する複数の像担持体とを有することを特徴としている。
【００２７】
請求項５の発明は請求項４の発明において、外部機器から入力した色信号を異なった色の画像データに変換して各々の光走査装置に入力せしめるプリンタコントローラを有していることを特徴としている。
【発明の効果】
【００２８】
本発明によれば前述の如く偏向面への入射光束の光路と、偏向面で反射偏向され、被走査面上に入射する走査光束の光路とに挟まれた非有効領域の少なくとも１つに遮光部材を設けることにより、ポリゴンミラーによる騒音や主走査方向のジッターを悪化させずに効果的にフレア光をカットでき、プラスチックレンズなどの簡易な部品で高品質な画像を形成することができる光走査装置及びそれを用いた画像形成装置を達成することができる。
【発明を実施するための最良の形態】
【００２９】
（実施形態１）
図１は本発明の光走査装置（レーザービームプリンタ）の実施形態１の要部断面図である。図２は図１に示したポリゴンミラー周辺を拡大して示した要部断面図である。
【００３０】
尚、本明細書においては走査レンズ系の光軸と偏向器により偏向された光束とが形成する面を主走査断面、走査レンズ系の光軸を含み主走査断面と直交する面を副走査断面と定義する。
【００３１】
図中、ＳＫ１、ＳＫ２は各々第１、第２のスキャナーである。第１、第２のスキャナーＳＫ１、ＳＫ２は、各々光源手段（３１，３２）と、前記光源手段（３１，３２）から放射した光束を規制する開口絞り（３３，３４）と、入射光束を他の光束に変換するコリメーターレンズ（３５，３６）と、主走査方向に長い線像として結像させる共用のシリンドリカルレンズ６と、偏向手段としての単一の偏向器３と、前記偏向器３で反射偏向された光束を被走査面上にスポットに形成する走査レンズ系（ＳＬ１、ＳＬ２）とを有している。
【００３２】
第１、第２の走査レンズ系ＳＬ１、ＳＬ２は各々第１、第２の２枚の走査レンズ１、２１、２、２２を有し、偏向器３により反射偏向された光束を対応する被走査面３７，３８上にスポット状に結像させている。また第１、第２の走査レンズ系ＳＬ１、ＳＬ２は副走査断面内において偏向器３の偏向面近傍と被走査面３７、３８近傍との間を共役関係にすることにより、倒れ補正機能を有している。
【００３３】
３７，３８は各々被走査面としての感光ドラム面である。
【００３４】
４は第１の遮光部材であり、偏向面３ａへの入射光束Ｒｉ１の光路と、前記偏向面３ａで反射偏向され、被走査面３７上に入射する走査光束Ｒｓの光路とに挟まれた非有効領域に配しており、第１の走査レンズ１のレンズ表面Ｒ１ａで反射したフレア光Ｒｆ１が第２の走査レンズ系ＳＬ２に入射することを防止している。
【００３５】
５は第２の遮光部材であり、第１の走査レンズ系ＳＬ１の光軸Ｌａに対して、２つの光源３１，３２が位置している領域と反対側の領域であって、偏向面３ａで反射偏向され、被走査面３７上に入射する走査光束Ｒｓの光路と、偏向器３で挟まれる非有効領域に配しており、前記第１の走査レンズ系ＳＬ１の光軸Ｌａに対して２つの光源３１，３２と反対側（入射光束Ｒｉ１の入射方向と反対側の）の面Ｒ１ａからの反射光（フレア光）Ｒｆ３が第２の走査レンズ系ＳＬ２に入射することを防止している。
【００３６】
本実施形態においては第１、第２のスキャナーＳＫ１、ＳＫ２が同一の偏向器３を併用しており、かつ第１、第２のスキャナーＳＫ１、ＳＫ２は、前記偏向器３の異なった偏向面で反射偏向した光束を用いている。
【００３７】
また本実施形態においては偏向面への入射光束の光路と、前記偏向面で反射偏向され、被走査面上に入射する走査光束の光路とに挟まれた非有効領域のうち、第１の遮光部材４が配置されていない非有効領域側に、ビーム書き出し位置を検知するための単一の書き出し位置検知手段（ＢＤセンサー）４１を配し、２つの光源３１，３２から放射される複数の光束の書き出しタイミングを、前記ＢＤセンサー４１により制御している。またＢＤセンサー４１へ向かう光束（ＢＤ光束）を、書き出し位置検知用レンズ（ＢＤレンズ）７を通過させ、前記走査光束とは別光路を辿るように構成している。
【００３８】
尚、本実施形態ではシリンドリカルレンズ６とＢＤレンズ７とを一体にして構成したが、別々に構成しても良い。
【００３９】
本実施形態においては上記の如く第１の走査レンズ系ＳＬ１を構成する第１の走査レンズ１の第１面Ｒ１ａからの反射光を遮るために偏向器３への入射光束Ｒｉ１の光路と、偏向器３で反射偏向される走査光束Ｒｓの光路とに挟まれた非有効領域に第１の遮光部材４を配置している。
【００４０】
図３は本実施形態と比較するために光走査装置のポリゴンミラー周辺を拡大して示した要部断面図である。同図において図２に示した要素と同一要素には同符番を付している。
【００４１】
図３の構成が図２の構成と異なる点は図３の構成が第１の遮光部材４を互いに異なった偏向面に入射する２本の入射光束Ｒｉ１とＲｉ２との間に配置したことである。どちらの場合も第１の遮光部材４で第１の走査レンズ１の第１面Ｒ１ａからの反射光に基くフレア光をカットすることが可能である。
【００４２】
しかしながら図３の構成ではポリゴンミラー３に接触するまで第１の遮光部材４の長さを延ばさないと全てのフレア光を遮ることができない。これに対して図２の構成ではポリゴンミラー３に接触するまで延ばせなくても全てのフレア光を遮ることが可能である。
【００４３】
ポリゴンミラー３は高速回転を行うため、風切り音による騒音が問題となっている。それゆえ、ポリゴンミラー３の周りには前記ポリゴンミラー３の回転に伴う風の流れを乱すような部材を配置することは極力避けた方がよい。また、風の流れが乱れることで、ポリゴンミラー３に回転ムラが発生し、それによって主走査方向のジッターが発生することも問題となる。
【００４４】
以上の理由から、ポリゴンミラー３から遠くてもフレア光をカットできる位置に第１の遮光部材４を配置する必要がある。
【００４５】
更にＢＤセンサー４１へ向かう書き出し位置検知光束（ＢＤ光束）Ｒｂが走査光束Ｒｓと別光路を採っている光走査装置においては、前記ＢＤセンサー４１へ向かうＢＤ光束Ｒｂを第１の遮光部材４で遮らないようにしなくてはならない。それゆえＢＤ光束Ｒｂが位置しない方の領域に第１の遮光部材４を配置することが望ましい。
【００４６】
以上説明したように本実施形態では入射光束Ｒｉと走査光束Ｒｓとに挟まれる領域で、しかもＢＤ光束が位置しない方の領域に第１の遮光部材４を配置することで、ポリゴンモーターの騒音や主走査方向のジッターなどを悪化せずに、且つプラスチックレンズに高価な反射防止膜などを蒸着しなくても、効果的にフレア光を防止することが可能となる。
【００４７】
また、フレアの光量自体は少ないが、第１の走査レンズ系ＳＬ１の光軸Ｌａに対して光源と反対側（入射光束Ｒｉｆの入射方向と反対側の）の面Ｒ１ａからの反射光Ｒｆ３も第２の遮光部材５を設けることにより第２の走査レンズ系ＳＬ２に入射しないようにしている。
【００４８】
同様に第２の走査レンズ系ＳＬ２の第１の走査レンズ２のレンズ表面Ｒ２ａからの反射光も第１、第２の遮光部材４、５により第１の走査レンズ系ＳＬ１に入射しないようにしている。
【００４９】
尚、本実施形態は走査レンズ系がガラスレンズで構成された光走査装置においても、十分な効果を発揮することができる。また本実施形態では非有効領域に第１、第２の遮光部材を各々設けたが、どちらか一方でもよい。また本実施形態においては走査レンズ系を２枚のレンズより構成したが、これに限らず、単一、又は３枚以上のレンズより構成しても良い。
【００５０】
（実施形態２）
図４は本発明の光走査装置の実施形態２の要部概略図である。同図において前述した図１に示した要素と同一要素には同符番を付している。
【００５１】
本実施形態において前述の実施形態１と異なる点は第２の遮光部材１５を偏向器３に対して第２の走査レンズ系ＳＬ２側に配し、第１、第２の遮光部材４、１５を光学箱８に一体で設けたことである。その他の構成及び光学的作用は実施形態１と略同様であり、これにより同様な効果を得ている。
【００５２】
即ち、同図において８は光学箱であり、光走査装置の光学部品を位置決めし内包している。１５は第２の遮光部材であり、第２の走査レンズ系ＳＬ２の光軸に対して、２つの光源(不図示)が位置している領域と反対側の領域であって、第１の走査レンズ１のレンズ面Ｒ１ａからの反射光（フレア光）Ｒｆ３の光路と第２の走査レンズ系ＳＬ２の第１の走査レンズ２で挟まれる非有効領域に配している。
【００５３】
本実施形態では光学箱８と第１、第２の遮光部材４、１５とを一体で設けており、これにより部品点数を増やすことなくフレア光を効率良く遮蔽することができ、光走査装置の構成を簡素化している。
【００５４】
（実施形態３）
図５（Ａ）は本発明の光走査装置の実施形態３の要部概略図である。図５（Ｂ）は図５（Ａ）のＸ−Ｘ′断面図である。同図（Ａ）、（Ｂ）において前述した図１に示した要素と同一要素には同符番を付している。
【００５５】
本実施形態において前述の実施形態１と異なる点は第２の遮光部材１５を偏向器３に対して第２の走査レンズ系ＳＬ２側に配し、第１、第２の遮光部材４、１５を蓋９に一体で設けたことである。その他の構成及び光学的作用は実施形態１と略同様であり、これにより同様な効果を得ている。
【００５６】
即ち、同図（Ａ）、（Ｂ）において９は蓋であり、光学箱８に取り付けられ光走査装置の光学部品を内包している。
本実施形態では蓋９と第１、第２の遮光部材４、１５とを一体で設けており、これにより部品点数を増やすことなくフレア光を効率良く遮蔽することができ、光走査装置の構成を簡素化している。
【００５７】
（実施形態４）
図６は本発明の光走査装置の実施形態４の要部概略図である。同図において前述した図１に示した要素と同一要素には同符番を付している。
【００５８】
本実施形態において前述の実施形態１と異なる点は第２の遮光部材１５を偏向器３に対して第２の走査レンズ系ＳＬ２側に配し、第１の遮光部材４を抜け防止部材（爪部材）１１の一部を使って形成したことである。その他の構成及び光学的作用は実施形態１と略同様であり、これにより同様な効果を得ている。
【００５９】
即ち、同図において１０はモータ（回転体）であり、ポリゴンミラー３を所定方向へ回転させている。モータ１０はオイル動圧軸受を用いており、回転軸をスラスト方向に持ち上げることで軸受が回転軸とスリーブに分離される。通常の使用状態では前述のように軸受が持ち上がることは、オイルの漏れを引き起こし、軸受の寿命を低下させるため好ましくない。そのためオイル動圧軸受を用いる場合は通常軸受の抜け防止部材（爪部材）１１をモータ１０の基板に取り付ける。
【００６０】
本実施形態では第１の遮光部材４を回転体の脱落を防止するための抜け防止部材１１の一部を使って形成しており、これにより部品点数を増やすことなくフレア光を効率良く遮蔽することができ、光走査装置の構成を簡素化している。
【００６１】
（第５の実施形態）
図７は本発明の実施態様のカラー画像形成装置の要部概略図である。本実施形態は、像担持体である複数の感光ドラム面上に画像情報を記録するタンデムタイプのカラー画像形成装置である。図７において、３６０はカラー画像形成装置、（３１１，３１２），（３１３，３１４）は図１０に記載したような、同一ポリゴンミラーの異なる面で２本のビームを走査する光走査装置、３４１，３４２，３４３，３４４は各々像担持体としての感光ドラム、３２１，３２２，３２３，３２４は各々現像器、３５１は搬送ベルトである。
【００６２】
図７において、カラー画像形成装置３６０には、パーソナルコンピュータ等の外部機器３５２からＲ（レッド）、Ｇ（グリーン）、Ｂ（ブルー）の各色信号が入力する。これらの色信号は、装置内のプリンタコントローラ３５３によって、Ｃ（シアン），Ｍ（マゼンタ），Ｙ（イエロー）、Ｂｋ（ブラック）の各画像データ（ドットデータ）に変換される。これらの画像データは、それぞれ光走査装置（３１１，３１２），（３１３，３１４）に入力される。そして、これらの光走査装置からは、各画像データに応じて変調された光ビーム３３１，３３２，３３３，３３４が出射され、これらの光ビームによって感光ドラム３４１，３４２，３４３，３４４の感光面が主走査方向に走査される。
【００６３】
本実施態様におけるカラー画像形成装置は光走査装置（３１１，３１２），（３１３，３１４）を２個並べ、各々がＣ（シアン），Ｍ（マゼンタ），Ｙ（イエロー）、Ｂｋ（ブラック）の各色に対応し、各々平行して感光ドラム３４１，３４２，３４３，３４４面上に画像信号（画像情報）を記録し、記録材に多重転写して１枚のフルカラー画像を高速に印字するものである。
【００６４】
前記外部機器３５２としては、例えばＣＣＤセンサを備えたカラー画像読取装置が用いられても良い。この場合には、このカラー画像読取装置と、カラー画像形成装置３６０とで、カラーデジタル複写機が構成される。
【図面の簡単な説明】
【００６５】
【図１】本発明の光走査装置の実施形態１の要部断面図
【図２】本発明の光走査装置の実施形態１の主要部分の要部断面図
【図３】実施形態１と比較するための要部断面図
【図４】本発明の光走査装置の実施形態２の主要部分の要部断面図
【図５】本発明の光走査装置の実施形態３の主要部分の要部断面図
【図６】本発明の光走査装置の実施形態４の主要部分の要部断面図
【図７】本発明の実施態様のカラー画像形成装置の要部概略図
【図８】従来の光走査装置の要部斜視図
【図９】従来の光走査装置におけるフレアを説明する要部概略図
【図１０】従来の光走査装置の副走査断面図
【図１１】従来の光走査装置におけるフレアの到達範囲を説明するグラフ
【符号の説明】
【００６６】
１、２  第１の走査レンズ
３  偏向器（ポリゴンミラー）
４  第１の遮光部材
５，１５  第２の遮光部材
６  シリンドリカルレンズ
７  書き出し位置検知用レンズ
８  光学箱
９  蓋
１０  モータ
１１  軸受抜け防止部材（爪部材）
２１、２２  第２の走査レンズ
Ｒｉ１、Ｒｉ２  入射光束
Ｒｓ  走査光束
Ｒｆ１、Ｒｆ２、Ｒｆ３  フレア光束
Ｒｂ  書き出し位置検知光束
ＳＬ１  第１の走査レンズ系
ＳＬ２  第２の走査レンズ系
ＳＫ１  第１のスキャナー
ＳＫ２  第２のスキャナー
３１，３２  光源
３３，３４  絞り
３５，３６  コリメーターレンズ
３７，３８  被走査面（感光ドラム面）
３１１、３１２、３１３、３１４  光走査装置
３２１、３２２、３２３、３２４  現像器
３３１，３３２，３３３，３３４  光ビーム
３４１、３４２、３４３、３４４  感光体ドラム
３５１  搬送ベルト
３５２  外部機器
３５３  プリントコントローラ
３６０  カラー画像形成装置
【図１】
2008233919.tif 000003
【図２】
2008233919.tif 000004
【図３】
2008233919.tif 000005
【図４】
2008233919.tif 000006
【図５】
2008233919.tif 000007
【図６】
2008233919.tif 000008
【図７】
2008233919.tif 000009
【図８】
2008233919.tif 000010
【図９】
2008233919.tif 000011
【図１０】
2008233919.tif 000012
【図１１】
2008233919.tif 000013
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
複数の光源と、前記複数の光源から放射された複数の光束を異なる偏向面で偏向する偏向器と、前記偏向器の異なる偏向面で偏向された複数の光束ごとに設けられた複数の走査レンズ系と、を有し、前記偏向器の異なる偏向面で偏向された複数の光束を前記複数の光束ごとに設けられた走査レンズ系を介して対応する被走査面上に結像させる光走査装置において、
前記偏向面へ入射する入射光束の光路と前記偏向面で偏向され前記被走査面上に入射する走査光束の光路とに挟まれた非有効領域の少なくとも１つに遮光部材を設け、
前記遮光部材は、前記偏向面で偏向され前記被走査面上に入射する走査光束が形成する主走査断面に設けられており、かつ、
前記遮光部材は、前記複数の走査レンズ系のうち一方の走査レンズ系のレンズ表面で反射したフレア光が前記複数の走査レンズ系のうち他方の走査レンズ系に入射することを防止していることを特徴とする光走査装置。
【請求項２】
前記偏向面へ入射する入射光束の光路と、前記偏向面で偏向され前記被走査面上に入射する走査光束の光路とに挟まれた非有効領域のうちの前記遮光部材が設けられていない非有効領域側に、ビーム書き出し位置を検知するための単一の書き出し位置検知手段を有し、
前記複数の光源から放射された複数の光束の書き出しタイミングを、前記単一の書き出し検知手段により制御していることを特徴とする請求項１に記載の光走査装置。
【請求項３】
前記書き出し位置検知手段へ向かう光束は、書き出し位置検知用レンズを通過し、前記走査光束とは別光路を辿ることを特徴とする請求項２に記載の光走査装置。
【請求項４】
請求項１乃至３の何れか一項に記載の光走査装置を複数有し、各々の光走査装置の被走査面に配置され、互いに異なった色の画像を形成する複数の像担持体とを有することを特徴とするカラー画像形成装置。
【請求項５】
外部機器から入力した色信号を異なった色の画像データに変換して各々の光走査装置に入力せしめるプリンタコントローラを有していることを特徴とする請求項４に記載のカラー画像形成装置。
【手続補正２】
【補正対象書類名】明細書
【補正対象項目名】００２３
【補正方法】変更
【補正の内容】
【００２３】
請求項１の発明の光走査装置は、複数の光源と、前記複数の光源から放射された複数の光束を異なる偏向面で偏向する偏向器と、前記偏向器の異なる偏向面で偏向された複数の光束ごとに設けられた複数の走査レンズ系と、を有し、前記偏向器の異なる偏向面で偏向された複数の光束を前記複数の光束ごとに設けられた走査レンズ系を介して対応する被走査面上に結像させる光走査装置において、
前記偏向面へ入射する入射光束の光路と前記偏向面で偏向され前記被走査面上に入射する走査光束の光路とに挟まれた非有効領域の少なくとも１つに遮光部材を設け、
前記遮光部材は、前記偏向面で偏向され前記被走査面上に入射する走査光束が形成する主走査断面上に設けられており、かつ、
前記遮光部材は、前記複数の走査レンズ系のうち一方の走査レンズ系のレンズ表面で反射したフレア光が前記複数の走査レンズ系のうち他方の走査レンズ系に入射することを防止していることを特徴としている。
【手続補正３】
【補正対象書類名】明細書
【補正対象項目名】００２４
【補正方法】変更
【補正の内容】
【００２４】
請求項２の発明は請求項１の発明において、前記偏向面へ入射する入射光束の光路と、前記偏向面で偏向され前記被走査面上に入射する走査光束の光路とに挟まれた非有効領域のうちの前記遮光部材が設けられていない非有効領域側に、ビーム書き出し位置を検知するための単一の書き出し位置検知手段を有し、
前記複数の光源から放射された複数の光束の書き出しタイミングを、前記単一の書き出し検知手段により制御していることを特徴としている。
【手続補正４】
【補正対象書類名】明細書
【補正対象項目名】００２５
【補正方法】変更
【補正の内容】
【００２５】
請求項３の発明は請求項２の発明において、前記書き出し位置検知手段へ向かう光束は、書き出し位置検知用レンズを通過し、前記走査光束とは別光路を辿ることを特徴としている。
【手続補正５】
【補正対象書類名】明細書
【補正対象項目名】００２６
【補正方法】変更
【補正の内容】
【００２６】
請求項４の発明のカラー画像形成装置は、請求項１乃至３の何れか一項に記載の光走査装置を複数有し、各々の光走査装置の被走査面に配置され、互いに異なった色の画像を形成する複数の像担持体とを有することを特徴としている。
【手続補正６】
【補正対象書類名】明細書
【補正対象項目名】００２７
【補正方法】変更
【補正の内容】
【００２７】
請求項５の発明は請求項４の発明において、外部機器から入力した色信号を異なった色の画像データに変換して各々の光走査装置に入力せしめるプリンタコントローラを有していることを特徴としている。
【手続補正７】
【補正対象書類名】明細書
【補正対象項目名】００６３
【補正方法】変更
【補正の内容】
【００６３】
本実施態様におけるカラー画像形成装置は光走査装置（３１１，３１２），（３１３，３１４）を複数有し、同図では２個並べ、各々がＣ（シアン），Ｍ（マゼンタ），Ｙ（イエロー）、Ｂｋ（ブラック）の各色に対応し、各々平行して感光ドラム３４１，３４２，３４３，３４４面上に画像信号（画像情報）を記録し、記録材に多重転写して１枚のフルカラー画像を高速に印字するものである。